(57)【要約】【課題】より少ない費用と工事期間でＩＳＤＮとインターネットとを選択して通話を行うことができるアダプタ装置及び通信システムを提供する。【解決手段】インターネットを用いて通信する通信相手に関する通信先情報が記憶された第１の記憶手段を備えており、通信先情報に基づいてＩＳＤＮ信号用ケーブル（１０ａ）に接続された通信機器の通信経路を、通信を行っている通信機器毎にＩＳＤＮ回線（１０ｂ）側またはアクセス回線（１２）側のいずれかに設定する。そして、ＩＳＤＮ信号用ケーブルに出力する第１通信情報（Ｆｏｕｔ１）の情報形式と、ＩＳＤＮ回線に出力する第２通信情報（Ｆｏｕｔ２）の情報形式と、アクセス回線に出力する第３通信情報（Ｐｏｕｔ３）の情報形式とを、各回線に応じて各々変換する、アダプタ装置（４０）。【選択図】        図２
2004349957.tif 000002
【特許請求の範囲】
【請求項１】
利用者の通信機器と接続するＩＳＤＮ信号用ケーブルと、通信網であるＩＳＤＮと接続する加入者線であるＩＳＤＮ回線と、インターネットと接続するアクセス回線と、を収容するアダプタ装置であって、
利用者がインターネットを用いて通話を行う通信相手側に関する通信先情報が記憶された第１の記憶手段を備えており、
当該通信先情報に基づいてＩＳＤＮ信号用ケーブルに接続された通信機器の通信経路を、通信を行っている通信機器毎にＩＳＤＮ回線側またはアクセス回線側のいずれかに設定し、
ＩＳＤＮ信号用ケーブルに出力する第１通信情報の情報形式と、ＩＳＤＮ回線に出力する第２通信情報の情報形式と、アクセス回線に出力する第３通信情報の情報形式とを、各ケーブル及び回線に応じて各々変換する、
ことを特徴とするアダプタ装置。
【請求項２】
請求項１に記載のアダプタ装置であって、
ＩＳＤＮ回線側に設定されて通信を行っている通信機器とアクセス回線側に設定されて通信を行っている通信機器とが混在している場合において、
通信機器から通信情報を送信する場合、アダプタ装置は、
ＩＳＤＮ信号用ケーブルから入力される通信情報の中からアクセス回線側に設定されている通信機器に関する通信情報を取り除き、取り除いた通信情報に基づいた第３通信情報を作成してアクセス回線に出力するとともに、ＩＳＤＮ信号用ケーブルから入力される通信情報の中からアクセス回線側に設定されている通信機器に関する通信情報を取り除いた第２通信情報を作成してＩＳＤＮ回線に出力し、
通信機器が通信情報を受信する場合、アダプタ装置は、
ＩＳＤＮ回線から入力される通信情報とアクセス回線から入力される通信情報とを合成した第１通信情報を作成してＩＳＤＮ信号用ケーブルに出力する、
ことを特徴とするアダプタ装置。
【請求項３】
利用者の通信機器と接続するＩＳＤＮ信号用ケーブルと、通信網であるＩＳＤＮと接続する加入者線であるＩＳＤＮ回線と、インターネットと接続するアクセス回線と、を収容するアダプタ装置と、インターネットに接続されたサーバとを含む、通信システムであって、
前記利用者がインターネットを用いて通話を行う通信相手側の電話番号を記憶する第２の記憶手段と、ＩＳＤＮ信号用ケーブルから入力されたデータの中から第２の記憶手段が記憶している電話番号を検知する通信相手検出手段と、前記電話番号と当該電話番号を持つ通信相手側がインターネットに接続するために持つ当該電話番号に対応するアドレスとを対応させて記憶する第３の記憶手段と、第３の記憶手段が記憶するアドレスに基づいて通信機器と当該アドレスを持つ通信相手側とをインターネットを介して通話可能に接続する接続手段とを有し、
第２の記憶手段と通信相手検出手段と第３の記憶手段と接続手段の各手段を、アダプタ装置とサーバにおいて全てをアダプタ装置に備え、またはアダプタ装置とサーバにおいて全てをサーバに備え、または各手段の少なくとも１つをアダプタ装置に備えて残りの手段をサーバに備え、
アダプタ装置は、更に通信相手検出手段からの出力に基づいてＩＳＤＮ回線またはアクセス回線のいずれかを前記通信機器の通信経路に設定する設定手段を備える、
ことを特徴とする通信システム。
【請求項４】
利用者の通信機器と接続するＩＳＤＮ信号用ケーブルと、通信網であるＩＳＤＮと接続する加入者線であるＩＳＤＮ回線と、インターネットと接続するアクセス回線と、を収容するアダプタ装置と、インターネットに接続されたサーバとを含む、通信システムであって、
サーバは、インターネットから前記通信機器への送信が要求された通信情報を、アクセス回線を介して当該通信機器に送信し、
通信情報には、当該通信情報を送信している通信相手を示す送信元情報が含まれており、
アダプタ装置は、前記通信機器と前記通信相手とを通話可能に中継する中継手段を備え、アクセス回線を介して同一の通信相手から通信情報が送信されてくる場合、当該通信情報に含まれている送信元情報に基づいてＩＳＤＮ用信号ケーブルに出力する通信情報の同一チャネルに、前記同一の通信相手からの通信情報を含ませる、
ことを特徴とする通信システム。
【請求項５】
請求項１または２に記載のアダプタ装置であって、
ＩＳＤＮ回線は、ＩＳＤＮ内で送受信される通信情報を制御するアクセス制御装置を介してＩＳＤＮに接続されており、
アダプタ装置は、アクセス回線側に設定されて通信を行っている通信機器に関する情報を含む第４通信情報を、ＩＳＤＮ回線を介してアクセス制御装置に送信する、
ことを特徴とするアダプタ装置。
【請求項６】
請求項３または４に記載の通信システムであって、更にＩＳＤＮ回線に接続されＩＳＤＮ内で送受信される通信情報を制御するアクセス制御装置を備え、
アダプタ装置は、アクセス回線側に設定されて通信を行っている通信機器に関する情報を含む第４通信情報を、ＩＳＤＮ回線を介してアクセス制御装置に送信し、
アクセス制御装置は、アダプタ装置から受信した第４通信情報に基づいて、アクセス回線側に設定されて通信を行っている通信機器に関する情報を入手する、ことを特徴とする通信システム。
【発明の詳細な説明】
【０００１】
【発明の属する技術分野】
本発明は、ＩＳＤＮ回線に接続された通信機器（端末）が、選択的にＩＳＤＮとインターネットのいずれかにて通信を可能とする、アダプタ装置及び通信システムに関する。
【０００２】
【従来の技術】
ＩＳＤＮ（Ｉｎｔｅｇｒａｔｅｄ  Ｓｅｒｖｉｃｅｓ  Ｄｉｇｉｔａｌ    Ｎｅｔｗｏｒｋ）は、統合デジタル通信網ないし総合デジタル通信網のことであり、電話、ファクシミリ、テレックス、データ通信、ビデオテックス網などを統合化するデジタル回線による電話サービスないし電話網を意味するものとする。また、ＩＳＤＮ回線というのは、ＩＳＤＮ（網側）と端末（ユーザ側）、またはユーザ側の端末と該ユーザ側の別の端末を接続する通信線のことである。一般にＩＳＤＮ回線は、何本かの情報チャネル（Ｂチャネル）と、制御用の信号チャネル（Ｄチャネル）１本から構成される。従来、図４（Ａ）に示すように、複数の電話機２（２ａ〜２ｎ）を構内電話交換機ＰＢＸ６に接続し、更にＰＢＸ６をＩＳＤＮ回線１０に接続して、複数の電話機２をアクセス制御装置２０（電気通信事業者の交換機システム等）を介してＩＳＤＮ３０に接続している事業所１等がある。この場合、ＩＳＤＮのＢチャネルが複数チャネルの契約であれば、複数の電話機２が同時にＩＳＤＮを利用することができる。
近年では、通信費の低減を主な目的として、インターネット３２を用いたＩＰ電話が普及しつつある。しかし、電話をしようとする相手側がＩＰ電話を備えているとは限らないので、全ての通話をＩＰ電話で行うことができるのでなく、一部の通話は従来のＩＳＤＮを用いた通話としなければならず、ＩＳＤＮとインターネットとを併用できるシステムが必要である。このシステムの概略構成を図４（Ｂ）に示す。従来の併用システムでは、ＰＢＸ６の内部にインターフェース装置１４２を追加してＰＢＸ６の外部にアダプタ１４０を追加し、アダプタ１４０からアクセス回線１２（アナログ回線を利用するＡＤＳＬ回線等）及びアクセスポイント２２を介してインターネットに接続する。
また、ＩＳＤＮターミナルアダプタあるいはＩＳＤＮルータを用いて、ＩＳＤＮ回線に接続された電話機をＩＳＤＮまたはインターネットのいずれかに選択的に接続して音声情報の送受信を行うインターネット電話システムも提案されている（例えば、特許文献１参照）。
【０００３】
【特許文献１】
特開２００１−３２６７４６号公報
【０００４】
【発明が解決しようとする課題】
ＰＢＸ６の内部にインターフェース装置１４２を追加してＰＢＸ６の外部にアダプタ１４０を追加する従来の併用システムでは、ＰＢＸ６の改造を伴うため、より多くの費用と工事期間を有する。また、改造期間では通話を行うことができないため、事業所１等では業務に支障が発生する可能性がある。
また、特許文献１に示すインターネット電話システムは、ＩＳＤＮターミナルアダプタあるいはＩＳＤＮルータを用いている個人を想定したものであり、ＰＢＸ６を利用している事業所１等に適用することは非常に困難である。
本発明は、このような点に鑑みて創案されたものであり、より少ない費用と工事期間でユーザ側の改造を行い得るとともに、ＩＳＤＮとインターネットとを選択して通話を行うことができるアダプタ装置及び通信システムを提供することを課題とする。
【０００５】
【課題を解決するための手段】
上記課題を解決するための手段として、本発明の第１発明は、請求項１に記載されたとおりのアダプタ装置である。
請求項１に記載のアダプタ装置には、３本の通信回線が接続されている。１本目は通信機器（電話機等）が接続されたＩＳＤＮ信号用ケーブルであり、２本目はＩＳＤＮにつながる（電気通信事業者の交換機システム等につながる）ＩＳＤＮ回線であり、３本目はインターネットにつながるアクセス回線（ＡＤＳＬ回線等）が接続される。そして、アダプタ装置は、インターネットを用いて通信する通信相手に関する通信先情報が記憶された第１の記憶手段を備えており、当該通信先情報に基づいて第１のＩＳＤＮ回線に接続された通信機器の通信経路を、通信機器毎にＩＳＤＮ回線側またはアクセス回線側のいずれかに設定する。更にアダプタ装置は、ＩＳＤＮ信号用ケーブルに出力する第１通信情報の情報形式と、ＩＳＤＮ回線に出力する第２通信情報の情報形式と、アクセス回線に出力する第３通信情報の情報形式とを、各回線に応じて各々変換する。
このように、通信機器−ＩＳＤＮ回線−ＩＳＤＮ（電気通信事業者の交換機システム等）という具合に接続されているＩＳＤＮ通信経路において、ＩＳＤＮ回線を中継するようにアダプタ装置を取り付け、アダプタ装置にインターネットに接続するアクセス回線を接続する。
これにより、例えばＩＳＤＮ回線とＰＢＸとを用いている事業所等では、ＰＢＸの改造等を行うことなく、アダプタ装置をＩＳＤＮ回線中に取り付けるだけでよいため、より少ない工事期間でＩＳＤＮとインターネットとを選択して通話を行うことができるようになる。また、各回線への通信情報の振り分け及び通信情報の加工等をアダプタ装置が行うため、従来の通信機器及びＰＢＸ等をそのまま流用することができ、より少ない費用と工事期間で併用システムを実現することができる。
なお、本明細書においては、インターネットという用語は、ＶｏＩＰが可能なネットワーク（例、ＩＰ網、ＴＣＰ／ＩＰネットワーク、ＬＡＮなど）を含むものとする。
【０００６】
また、本発明の第２発明は、請求項２に記載されたとおりのアダプタ装置である。
請求項２に記載のアダプタ装置では、ＩＳＤＮ回線側に設定されて通信を行っている通信機器とアクセス回線側に設定されて通信を行っている通信機器とが混在している場合において、通信機器から通信情報を送信する場合、アダプタ装置は、ＩＳＤＮ信号用ケーブルから入力される通信情報の中からアクセス回線側に設定されている通信機器に関する通信情報を取り除き、取り除いた通信情報に基づいた第３通信情報を作成してアクセス回線に出力するとともに、ＩＳＤＮ信号用ケーブルから入力される通信情報の中からアクセス回線側に設定されている通信機器に関する通信情報を取り除いた第２通信情報を作成してＩＳＤＮ回線に出力する。また、通信機器が通信情報を受信する場合、アダプタ装置は、ＩＳＤＮ回線から入力される通信情報とアクセス回線から入力される通信情報とを合成した第１通信情報を作成してＩＳＤＮ信号用ケーブルに出力する。
例えばＩＳＤＮ信号用ケーブル及びＩＳＤＮ回線で扱う通信情報は、利用可能な全チャネル数に対応した固定サイズのデータ形式等であり、アクセス回線で扱う通信情報は、現在利用中のチャネル毎の個々のパケットデータ形式等である。この通信情報の加工と、各回線への振り分けをアダプタ装置が行う。
これにより、従来の通信機器及びＰＢＸ等をそのまま流用することができ、より少ない費用と工事期間でＩＳＤＮとインターネットとを選択して通話を行うことを実現することができる。
【０００７】
また、本発明の第３発明は、請求項３に記載されたとおりの通信システムである。
請求項３に記載の通信システムでは、例えば通信機器からインターネット側に送信する場合、第１の記憶手段にはＩＰ電話を利用可能な通信相手の電話番号が記憶されており、第２の記憶手段には前記電話番号に対応するＩＰアドレスが記憶されている。例えばアダプタ装置は、通信機器から電話番号が入力されると、通信相手検出手段にて入力された電話番号が第２の記憶手段に記憶されているか否かを判定する。記憶されていると判定した場合は、電話番号を入力してきた通信機器を、設定手段にてアクセス回線側に設定する。また、接続手段にて、通信機器と通信相手側とをインターネットを介して通話可能に接続する。
このように通信システムを構成することで、従来の通信機器及びＰＢＸ等をそのまま流用することができ、より少ない費用と工事期間でＩＳＤＮとインターネットとを選択して通話を行うことを実現することができる。
【０００８】
また、本発明の第４発明は、請求項４に記載されたとおりのアダプタ装置である。
請求項４に記載のアダプタ装置では、例えば通信機器がインターネット側から受信する場合、サーバは、インターネットから通信機器への送信が要求された通信情報を、アクセス回線を介して当該通信機器に送信する。通信情報には、当該通信情報を送信している通信相手を示す送信元情報が含まれており、アダプタ装置は、通信機器と通信相手とを通話可能に中継する中継手段を備え、アクセス回線を介して同一の通信相手から通信情報が送信されてくる場合、当該通信情報に含まれている送信元情報に基づいてＩＳＤＮ用信号ケーブルに出力する通信情報の同一チャネルに、前記同一の通信相手からの通信情報を含ませる。
このように、受信時は同一の通信相手からの通信情報を、ＩＳＤＮ用信号ケーブルに出力する通信情報の同一チャネルに割り当てる。
これにより、従来の通信機器及びＰＢＸ等をそのまま流用することができ、より少ない費用と工事期間でＩＳＤＮとインターネットとを選択して通話を行うことを実現することができる。
【０００９】
また、本発明の第５発明は、請求項５に記載されたとおりのアダプタ装置である。
請求項５に記載のアダプタ装置では、ＩＳＤＮ回線は、ＩＳＤＮ内で送受信される通信情報を制御するアクセス制御装置（電気通信事業者の交換機システム等）を介してＩＳＤＮに接続されている。そして、アダプタ装置は、アクセス回線側に設定されて通信を行っている通信機器に関する情報を含む第４通信情報を、ＩＳＤＮ回線を介してアクセス制御装置に送信する。
アダプタ装置が加工してＩＳＤＮ回線に出力する通信情報（第２通信情報）には、アクセス回線側で利用している通信機器の通信情報が取り除かれている。この場合、アクセス制御装置が、ＩＳＤＮ信号用ケーブルで利用されているチャネル数の判断を誤る可能性がある。そこで、例えば現在アクセス回線側にて通信を行っている通信機器の数、あるいはチャネル名等を含む第４通信情報を、アクセス制御装置に送信し、アクセス制御装置がＩＳＤＮ信号用ケーブルで利用されているチャネル数を正しく判断できるようにする。
【００１０】
また、本発明の第６発明は、請求項６に記載されたとおりのアダプタ装置である。
請求項６に記載の通信システムでは、アダプタ装置は、アクセス回線側に設定されて通信を行っている通信機器に関する情報を含む第４通信情報を、ＩＳＤＮ回線を介してアクセス制御装置に送信する。そして、アクセス制御装置は、アダプタ装置から受信した第４通信情報に基づいて、アクセス回線側に設定されて通信を行っている通信機器に関する情報を入手する。
これにより、アクセス制御装置がＩＳＤＮ信号用ケーブルで利用されているチャネル数を正しく判断できるようにする。
【００１１】
【発明の実施の形態】
以下に本発明の実施の形態を図面を用いて説明する。図１は、本発明のアダプタ装置４０を用いた通信システムの一実施の形態の概略接続図を示している。
従来の事業所１では、図４（Ａ）に示すように複数の通信機器２（電話機２ａ、ＦＡＸ機２ｂ等）をＰＢＸ６に接続し、ＰＢＸ６からＩＳＤＮ回線１０に接続している。ＩＳＤＮ回線１０はアクセス制御装置２０（電気通信事業者の交換機システム等）に接続されており、アクセス制御装置２０はＩＳＤＮ３０に接続されている。
【００１２】
●［全体構成（図１）］
ここで、通信費の低減等を目的として、インターネットやＩＰ網を用いたＩＰ電話も選択的に利用できるように構成した、本発明のアダプタ装置を用いた通信システムを図１に示す。
図１に示すように、ＰＢＸ６が接続されているＩＳＤＮ信号用ケーブル１０ａ（利用者の通信機器２と接続するＩＳＤＮ信号用ケーブル）と、アクセス制御装置２０が接続されているＩＳＤＮ回線１０ｂ（通信網であるＩＳＤＮと接続する加入者線であるＩＳＤＮ回線）との間に、本発明のアダプタ装置４０を設ける。また、アダプタ装置４０にはＡＤＳＬ回線、ＣＡＴＶ回線（同軸ケーブル等）または光ファイバ回線等、ＩＰ電話を利用可能なアクセス回線１２が接続されている。アクセス回線１２（インターネット３２に接続するためのアクセスポイント２２に接続するアクセス回線）は、当該回線の通信サービス業者（電気通信事業者）のアクセスポイント２２（例えば、ルータ、ゲートウェイ等）に接続されており、アクセスポイント２２はインターネット３２に接続されている。また、インターネット３２には、アダプタ装置４０からアクセス可能なサーバ３３が接続されている。
【００１３】
●［アダプタ装置の動作（通信情報の振り分け及び加工：図２）］
次に、図２（Ａ）を用いて、通信機器２（２ａ〜２ｎ）からＩＳＤＮ３０またはインターネット３２に通信情報を送信する場合に、アダプタ装置４０が通信情報の形式を変換する様子を説明する。
例えば、事業所１はＩＳＤＮにおける所定のサービス（ＩＮＳネット１５００（登録商標）等）に加入しており、情報チャネル（Ｂチャネル）を２３本同時に利用することができるとする。なお、この場合は信号チャネル（Ｄチャネル）も１本利用される。
【００１４】
ここで、例えば通信機器２にて、利用可能なＢ１チャネル〜Ｂ２３チャネル（２３本）の中からＢ２チャネルとＢ３チャネルとを利用してインターネットに接続し、残りのＢ１チャネル及びＢ４チャネル〜Ｂ２３チャネルをＩＳＤＮに接続したとする。この場合、アダプタ装置４０には、ＩＳＤＮ信号用ケーブル１０ａから通信情報Ｆｉｎ１が入力される。通信情報Ｆｉｎ１は、Ｂ１チャネル〜Ｂ２３チャネルの各通信データ（図２（Ａ）中の「Ｂ１」〜「Ｂ２３」）と、Ｄチャネルの通信データ（図２（Ａ）中の「Ｄｃｈ」）が含まれている固定サイズのシリアルデータである。
【００１５】
アダプタ装置４０には、第１の記憶手段（図示せず）が設けられており、第１の記憶手段にはインターネットを用いて通信する通信相手に関する通信先情報（電話番号、ＩＰアドレス等）が記憶されている。アダプタ装置４０は、通信機器２、サーバ３３等を用いて、この記憶情報を更新（追加、変更、削除等）し得る構成とすることができる。
アダプタ装置４０は、ＩＳＤＮ信号用ケーブル１０ａから入力された通信情報Ｆｉｎ１の中から、第１の記憶手段に記憶されている通信先情報に該当する通信先の有無を判定する。この場合、Ｂ２チャネルの通信データ（Ｂ２）と、Ｂ３チャネルの通信データ（Ｂ３）が該当すると判定する。
【００１６】
次に、アダプタ装置４０は、ＩＳＤＮ信号用ケーブル１０ａから入力された通信情報Ｆｉｎ１の中からＢ２チャネルの通信データ（Ｂ２）とＢ３チャネルの通信データ（Ｂ３）を取り除くとともに、Ｂ２チャネル及びＢ３チャネルが空きであることを示すデータ（所定のコード）を、Ｂ２チャネル及びＢ３チャネルに挿入した通信情報Ｆｏｕｔ２（第２通信情報）を作成してＩＳＤＮ回線１０ｂに出力する。また、アダプタ装置４０は、取り除いたＢ２チャネルの通信データ（Ｂ２）とＢ３チャネルの通信データ（Ｂ３）に基づいた通信情報Ｐｏｕｔ３（第３通信情報）を作成してアクセス回線１２に出力する。
このように、固定サイズの通信情報を必要とするＩＳＤＮ回線１０ｂには、アクセス回線１２側に回すチャネルを空きチャネル（未使用チャネル）としたＩＳＤＮ用のシリアルデータである通信情報Ｆｏｕｔ２を出力する。また、チャネル毎のパケットデータを必要とするアクセス回線１２には、アクセス回線１２側用のパケットデータである通信情報Ｐｏｕｔ３を出力する。なお、通信情報Ｐｏｕｔ３は、必要に応じてデジタル波形（ＩＳＤＮ回線用）からＡＤＳＬ回線用のデジタル波形への変換、プロトコルの違い等によるヘッダ情報部の変換等が行われて作成される。
【００１７】
次に、図２（Ｂ）を用いて、通信機器２（２ａ〜２ｎ）がＩＳＤＮ３０及びインターネット３２から通信情報を受信する場合に、アダプタ装置４０が通信情報の形式を変換する様子を説明する。
ここで、例えば通信機器２にて、利用可能なＢ１チャネル〜Ｂ２３チャネル（２３本）の中からＢ２チャネルとＢ３チャネルとを利用してインターネットに接続し、残りのＢ１チャネル及びＢ４チャネル〜Ｂ２３チャネルをＩＳＤＮに接続したとする。この場合、アダプタ装置４０には、ＩＳＤＮ回線１０ｂから通信情報Ｆｉｎ２が入力されるとともに、アクセス回線１２から通信情報Ｐｉｎ３が入力される。
【００１８】
通信情報Ｆｉｎ２は、Ｂ１チャネル〜Ｂ２３チャネルの各通信データ（図２（Ｂ）中の「Ｂ１」〜「Ｂ２３」、ただし「Ｂ２」と「Ｂ３」は空き）と、Ｄチャネルの通信データ（図２（Ｂ）中の「Ｄｃｈ」）が含まれている固定サイズのシリアルデータである。また、通信情報Ｐｉｎ３は、Ｂ２チャネルに対応するべきパケットデータ（Ｂ２Ｐ）とＢ３チャネルに対応するべきパケットデータ（Ｂ３Ｐ）である。
Ｂ２Ｐ及びＢ３Ｐには、インターネット３２に繋がっている着信先（通信機器２が発信側の場合）、もしくはインターネット３２に繋がっている発信元（アダプタ装置４０が着信側、つまり呼び出された場合）のＩＰアドレスがヘッダ情報として入っている。
【００１９】
従って、アダプタ装置４０は、アクセス回線１２を介して受信するパケットデータのうち、Ｂ２ＰをＢ２チャネルに、Ｂ３ＰをＢ３チャネルに流すことができる。
すなわち、アダプタ装置４０は、ＩＳＤＮ回線１０ｂから入力された通信情報Ｆｉｎ２の空きデータ部分に、アクセス回線１２から入力された通信情報Ｐｉｎ３を加工したデータを埋め込んだ通信情報Ｆｏｕｔ１（第１通信情報）を作成してＩＳＤＮ信号用ケーブル１０ａに出力する。
このように、固定サイズの通信情報を必要とするＩＳＤＮ信号用ケーブル１０ａには、ＩＳＤＮ回線１０ｂから入力された通信情報Ｆｉｎ２にアクセス回線１２から入力された通信情報Ｐｉｎ３に基づいて加工したデータを埋め込んだ通信情報Ｆｏｕｔ１を出力する。なお、通信情報Ｐｏｕｔ３は、必要に応じてデジタル波形（ＡＤＳＬ回線用）からデジタル波形（ＩＳＤＮ回線用）に変換、プロトコルの違い等によるヘッダ情報部の変換等が行われて、通信情報Ｆｏｕｔ１に埋め込まれる。
【００２０】
このように、アダプタ装置４０は、自身が記憶するＩＰ電話に振り替えるべき通信先の情報、及び受信するパケットデータの発信元アドレスなどを参照してＩＳＤＮ信号用ケーブル１０ａに接続された通信機器２の通信経路を、通信機器毎にＩＳＤＮ回線１０ｂ側またはアクセス回線１２側のいずれかに設定する。
【００２１】
●［アダプタ装置の動作（アクセス制御装置への報知）］
ここで、例えば事業所１は、ＩＳＤＮ信号用ケーブル１０ａで利用可能なチャネル数が「２３」、現在ＩＳＤＮ信号用ケーブル１０ａで利用しているチャネル数が「２３」、更にその中からアクセス回線１２に分岐されているチャネル数が「２」の場合を考察する（図２（Ａ）及び（Ｂ）に示す場合である）。
この場合、アクセス制御装置２０は、実際にはＩＳＤＮ信号用ケーブル１０ａで「２３」チャネルが利用されているにもかかわらず、ＩＳＤＮ回線１０ｂでやり取りする通信情報Ｆｉｎ２及びＦｏｕｔ２から、「２１」チャネルが利用されていると判断してしまう可能性がある。この場合、アクセス制御装置２０は、実際の残りチャネルが「０」であるのに対して、「２」チャネルが残っており、この「２」チャネルを利用可能と誤って判断する可能性がある。このとき、ＩＳＤＮ３０から「２」回線分の接続要求（呼び出し要求）があった場合、当該「２」回線を接続しようと試みる。しかし、実際に利用可能なチャネル数は「０」チャネルであるため、「２」チャネル分の接続要求は回線の空きが発生するまでずっと待たされることになる。
以下の説明にて、アダプタ装置４０から適切な情報をアクセス制御装置２０に送信して、アクセス制御装置２０に正しい利用中のチャネル数を認識させて上記の現象を回避する方法を説明する。
【００２２】
アダプタ装置４０は、現在アクセス回線１２側にて通信を行っているチャネルを認識して、既に説明したように通信情報Ｆｉｎ１から取り除いたり、通信情報Ｆｏｕｔ１に埋め込んだりしている。この「現在アクセス回線１２側にて通信を行っているチャネル」に関する情報（例えば現在所定の回線側にて通信を行っている通信機器の数、あるいはチャネル名等）を含む第４通信情報を作成する。そして、アダプタ装置４０は、作成した第４通信情報をＩＳＤＮ回線１０ｂを介してアクセス制御装置２０に送信する。すなわち、アダプタ装置４０は、「現在アクセス回線１２側にて通信を行っているチャネル」を発信専用回線とするコードを第４通信情報として、その通信期間中、アクセス制御装置２０に送信する。
この際、アダプタ装置４０は、第４通信情報を通信情報Ｆｏｕｔ２に含ませてもよい（「Ｄｃｈ」部に含ませる等）し、通信情報Ｆｏｕｔ２とは別のデータとして送信するようにしてもよい。
【００２３】
アクセス制御装置２０は、第４通信情報を受信して、現在ＩＳＤＮ回線１０ｂで通信されている通信情報Ｆｉｎ２及び通信情報Ｆｏｕｔ２に含まれているチャネルの他にも実際に使用されているチャネルが存在していることを認識することができる。このように、アダプタ装置４０は、アクセス制御装置２０に正しい利用中のチャネル数を認識させることができる。
【００２４】
●［アダプタ装置の内部構成（図３）］
次に、図３に示すブロック図を用いて、アダプタ装置４０の内部構成を説明する。なお、図３において、太線は通信情報の流れるデータバス（ＤＢ１〜ＤＢ１１）を示しており、矢印を伴う線はコントロールバス（ＣＢ１〜ＣＢ４）を示している。
アダプタ装置４０には、ＩＳＤＮ信号用ケーブル１０ａを接続する端子４０ａと、ＩＳＤＮ回線１０ｂを接続する端子４０ｂと、アクセス回線１２を接続する端子４０ｃとが設けられている。
【００２５】
端子４０ａはＩＳＤＮ送受信部４１とデータバスＤＢ１で接続されている。
ＩＳＤＮ送受信部４１は更に制御手段４５（ＣＰＵ等）と、データバスＤＢ５及びコントロールバスＣＢ１で接続されている。また、ＩＳＤＮ送受信部４１はＢチャネルＳＷ部４３とデータバスＤＢ２で接続されている。
同様に、端子４０ｂはＩＳＤＮ送受信部４２とデータバスＤＢ４で接続されている。
ＩＳＤＮ送受信部４２は更に制御手段４５（ＣＰＵ等）と、データバスＤＢ６及びコントロールバスＣＢ２で接続されている。また、ＩＳＤＮ送受信部４２はＢチャネルＳＷ部４３とデータバスＤＢ３で接続されている。
【００２６】
ＢチャネルＳＷ部４３は、更にデータ圧縮伸張手段４４（音声圧縮伸張装置等）とデータバスＤＢ７で接続されており、制御手段４５とコントロールバスＣＢ３で接続されている。
データ圧縮伸張手段４４は、更に制御手段４５とデータバスＤＢ８で接続されている。
制御手段４５は、更にＬＡＮ送受信部４６とデータバスＤＢ９及びコントロールバスＣＢ４で接続されている。
ＬＡＮ送受信部４６は、更にモデム部４７とデータバスＤＢ１０で接続されている（この例では、アクセス回線１２はアナログ回線を利用するＡＤＳＬ回線であるとする）。
モデム部４７は、更に端子４０ｃとデータバスＤＢ１１で接続されている。
【００２７】
［通信機器から通信情報を送信する場合の各情報の経路］
次に、通信機器２から通信情報Ｆｉｎ１を送信する場合（図２（Ａ）参照）における、各情報の経路を説明する。
通信機器２から送信された通信情報Ｆｉｎ１は、ＩＳＤＮ信号用ケーブル１０ａから端子４０ａ及びデータバスＤＢ１を経由してＩＳＤＮ送受信部４１に入力される。
次に制御手段４５は、コントロールバスＣＢ１からの信号にて、ＩＳＤＮ送受信部４１に通信情報Ｆｉｎ１が入力されたことを検出し、データバスＤＢ５を介して通信情報Ｆｉｎ１に含まれているＤチャネルに関する情報（通信情報Ｆｉｎ１内の「Ｄｃｈ」に含まれている情報）、「Ｂ１」〜「Ｂ２３」の送信先情報等を読み出す。
【００２８】
例えば制御手段４５は、インターネットを用いて通話を行う通信相手側の電話番号を記憶した記憶手段（第２の記憶手段、図示せず）を備えており、ＩＳＤＮ信号用ケーブル１０ａから入力された通信情報Ｆｉｎ１の中から第２の記憶手段が記憶している電話番号と一致する電話番号があるか否かを判定する。この場合、制御手段４５が通信相手検出手段に相当する。そして、例えば「Ｂ３」の電話番号と第２記憶手段に記憶している電話番号の１つが一致した場合、制御手段４５は、「Ｂ３」の通信情報をアクセス回線１２側の通信経路に設定する。この場合、制御手段４５が設定手段に相当する。
このように、制御手段４５は、通信情報Ｆｉｎ１内の各通信データ「Ｂ１」〜「Ｂ２３」の各々を、ＩＳＤＮ回線１０ｂから出力すべき通信データと、アクセス回線１２から出力すべき通信データとに分類する。
【００２９】
制御手段４５は、コントロールバスＣＢ１及びＣＢ３を用いてＩＳＤＮ送受信部４１及びＢチャネルＳＷ部４３を制御して、ＩＳＤＮ送受信部４１内の通信情報Ｆｉｎ１を、データバスＤＢ５からＢチャネルＳＷ部４３に入力する。この際、ＢチャネルＳＷ部４３には通信情報Ｆｉｎ１の各通信データ（「Ｂ１」〜「Ｂ２３」、「Ｄｃｈ」）が順次入力される。ここで、制御手段４５は、コントロールバスＣＢ３を用いて、ＩＳＤＮ回線１０ｂ側に出力すべき通信データはＢチャネルＳＷ部４３をＩＳＤＮ送受信部４２側に接続し、アクセス回線１２側に出力すべき通信データはデータ圧縮伸張手段４４側に接続する。つまり、ＢチャネルＳＷ部４３にて、ＩＳＤＮ回線１０ｂに出力すべき通信データと、アクセス回線１２に出力すべき通信データとが振り分けられる。
【００３０】
ＩＳＤＮ送受信部４２に入力された通信データは、通信情報Ｆｏｕｔ２の形式である。この通信情報Ｆｏｕｔ２は、データバスＤＢ４及び端子４０ｂを経由してＩＳＤＮ回線１０ｂから出力される。
また、データ圧縮伸張手段４４に入力された各通信データは、所定の形式に圧縮されてデータバスＤＢ８を経由して制御手段４５に入力される。
制御手段４５は、圧縮された通信データをＬＡＮ送受信部４６に出力する。この際、出力された通信データは、通信情報Ｐｏｕｔ３に対応するパケットデータ形式である。なお、圧縮された通信データのヘッダ情報部の変更は、データ圧縮伸張手段４４または制御手段４５にて行われる。
【００３１】
ヘッダ情報部には、通信相手のＩＰアドレスが含まれている。次に、このＩＰアドレスの取得方法について説明する。
例えばインターネット３２に接続されているサーバ３３（図１参照）は、電話番号に対応させてＩＰアドレスを記憶した第３の記憶手段（図示せず）を備えている。制御手段４５は、アクセス回線１２を介して当該サーバ３３にアクセスし、対象となる電話番号をサーバ３３に送信する。サーバ３３は、受信した電話番号に対応するＩＰアドレスを、第３の記憶手段に記憶されている電話番号に基づいて検索し、対応するＩＰアドレスを制御手段４５に送信する。制御手段４５はサーバ３３からＩＰアドレスを受信して、ヘッダ情報部に含ませる。このように、制御手段４５は、当該ＩＰアドレスに対応する通信相手と、当該通信相手に通信情報を送信してきた通信機器とを接続手段にてインターネットを介して通話可能に接続する（通信機器が情報を受信する側である場合は後述する）。この場合、制御手段４５が接続手段に相当する。
【００３２】
なお、第２の記憶手段、第３の記憶手段、通信相手検出手段、接続手段の各手段を、アダプタ装置４０とサーバ３３において、全ての手段をアダプタ装置４０に備えてもよいし、全ての手段をサーバ３３に備えてもよいし、少なくとも１つの手段をアダプタ装置４０に備えて残りをサーバ３３に備えるようにしてもよい。各手段をどの装置に備えさせるか、種々の方法があり、特に限定しない。
ＬＡＮ送受信部４６は、入力された通信データをモデム部４７に出力する。そして、モデム部４７は、入力された通信データ（デジタル信号）を通信情報Ｐｏｕｔ３（ＡＤＳＬ用のデジタル信号）に変換して出力する。
モデム部４７から出力された通信情報Ｐｏｕｔ３は、データバスＤＢ１１及び端子４０ｃを経由してアクセス回線１２に出力される。なお、ＬＡＮ送受信部４６とモデム部４７とは一体化してもよく、制御手段４５とＬＡＮ送受信部４６とモデム部４７とを一体化した構成とすることも可能である。
【００３３】
［通信機器が通信情報を受信する場合の各情報の経路］
次に、通信機器２が通信情報Ｆｏｕｔ１を受信する場合（図２（Ｂ）参照）における、各情報の経路を説明する。
ＩＳＤＮ回線１０ｂから入力された通信情報Ｆｉｎ２は、ＩＳＤＮ回線１０ｂから端子４０ｂ及びデータバスＤＢ４を経由してＩＳＤＮ送受信部４２に入力される。
次に制御手段４５は、コントロールバスＣＢ２からの信号にて、ＩＳＤＮ送受信部４２に通信情報Ｆｉｎ２が入力されたことを検出し、データバスＤＢ６を介して通信情報Ｆｉｎ２に含まれているＤチャネルに関する情報（通信情報Ｆｉｎ２内の「Ｄｃｈ」に含まれている情報）、「Ｂ１」〜「Ｂ２３」の空きチャネル情報等を読み出す。
そして、制御手段４５は、通信情報Ｆｉｎ２内の各通信データ「Ｂ１」〜「Ｂ２３」のどの部分にアクセス回線１２から入力された通信データを埋め込めば良いかを判定する。
【００３４】
制御手段４５は、コントロールバスＣＢ２及びＣＢ３を用いてＩＳＤＮ送受信部４２及びＢチャネルＳＷ部４３を制御して、ＩＳＤＮ送受信部４２内の通信情報Ｆｉｎ２を、データバスＤＢ３からＢチャネルＳＷ部４３に入力する。この際、ＢチャネルＳＷ部４３には通信情報Ｆｉｎ２の各通信データ（「Ｂ１」〜「Ｂ２３」、「Ｄｃｈ」）が順次入力される。
制御手段４５は、アクセス回線１２側から入力される通信データをＢチャネルに埋め込まなくてもよい場合はＢチャネルＳＷ部４３をＩＳＤＮ送受信部４１側に接続し、ＩＳＤＮ回線１０ｂ−ＩＳＤＮ送受信部４２−ＢチャネルＳＷ部４３−ＩＳＤＮ送受信部４１−ＩＳＤＮ信号用ケーブル１０ａの間をスルー状態とする。しかし、ここでは、制御手段４５は、ＢチャネルＳＷ部４３にて、通信情報Ｆｉｎ２の「Ｂ２」チャネルと「Ｂ３」チャネルにアクセス回線１２から入力された通信データ（通信情報Ｐｉｎ３に基づいた通信データ）を埋め込んで合成しなければならない。通信情報Ｐｉｎ３を受信した制御手段４５は、データバスＤＢ８を介して通信情報Ｐｉｎ３をデータ圧縮伸長手段４４に送信して伸長させ、ＤＢ７を介してＢチャネルＳＷ部４３に送り込む。
【００３５】
図２（Ｂ）の例の場合、ＢチャネルＳＷ部４３は、Ｂチャネルの「Ｂ１」チャネルの通信データをＩＳＤＮ送受信部４１に入力するタイミングでは、ＩＳＤＮ送受信部４１とデータ圧縮伸張手段４４との接続を開放し、ＩＳＤＮ送受信部４１とＩＳＤＮ送受信部４２とを接続する。続いてＢチャネルＳＷ部４３は、Ｂチャネルの「Ｂ２」チャネルと「Ｂ３」チャネルの通信データをＩＳＤＮ送受信部４１に入力するタイミングでは、ＩＳＤＮ送受信部４１とＩＳＤＮ送受信部４２との接続を開放し、ＩＳＤＮ送受信部４１とデータ圧縮伸張手段４４とを接続する。更にＢチャネルＳＷ部４３は、Ｂチャネルの「Ｂ４」チャネル以降の通信データをＩＳＤＮ送受信部４１に入力するタイミングでは、ＩＳＤＮ送受信部４１とデータ圧縮伸張手段４４との接続を開放し、ＩＳＤＮ送受信部４１とＩＳＤＮ送受信部４２とを接続する。
このように、ＢチャネルＳＷ部４３は、Ｂチャネルの「Ｂ２」チャネルと「Ｂ３」チャネルの通信データに通信情報Ｐｉｎ３を埋め込んで、データバスＤＢ２を介してＩＳＤＮ送受信部４１に通信データを送信する。
ＩＳＤＮ送受信部４１に入力されたこの通信データは、通信情報Ｆｏｕｔ１の形式である。この通信情報Ｆｏｕｔ１は、データバスＤＢ１及び端子４０ａを経由してＩＳＤＮ信号用ケーブル１０ａに出力される。
【００３６】
なお、アクセス回線１２から入力される通信情報Ｐｉｎ３は、端子４０ｃ及びデータバスＤＢ１１を経由してモデム部４７に入力され、ＡＤＳＬ用のデジタル信号からＩＳＤＮ用のデジタル信号に変換される。ＩＳＤＮ用のデジタル信号に変換された通信情報Ｐｉｎ３に基づいた通信データは、データバスＤＢ１０−ＬＡＮ送受信部４６−データバスＤＢ９−制御手段４５−データバスＤＢ８−データ圧縮伸張手段４４−データバスＤＢ７を経由してＢチャネルＳＷ部４３に入力されて、通信情報Ｆｉｎ２に埋め込まれていく。なお、通信データのヘッダ情報部の変更は、データ圧縮伸張手段４４または制御手段４５にて行われる。
【００３７】
このように、アダプタ装置４０の制御手段４５は、通信機器２がアクセス回線１２を介して通信相手から通信情報Ｐｉｎ３を受信する場合、通信機器２と通信相手とを通話可能に中継する。この場合、制御手段４５は中継手段に相当する。
制御手段４５は、通信機器２と通信相手とを通話可能に中継する際、同一の通信相手からの通信情報Ｐｉｎ３（例えば図２（Ｂ）における通信データ「Ｂ２Ｐ」）の受信が継続している場合、ＩＳＤＮ信号用ケーブル１０ａに出力する通信情報Ｆｏｕｔ１における同一チャネル（例えば図２（Ｂ）における通信データ「Ｂ２」）に継続して埋め込む（同一チャネルに含ませることを維持する）。
なお、受信する通信情報Ｐｉｎ３における各通信データ（例えば図２（Ｂ）における通信データ「Ｂ２Ｐ」、「Ｂ３Ｐ」）には、各々に対して当該通信データを送信している通信相手を示す送信元情報（ＩＰアドレス等）がヘッダ情報部に含まれている。制御手段４５は、このヘッダ情報部の送信元情報を判定することで、同一の通信相手から継続して通信情報Ｐｉｎ３が送信されているのか、新たな通信相手から通信情報Ｐｉｎ３が送信されてきたのか、等を判断することができる。
【００３８】
［アダプタ装置が、アクセス制御装置に第４通信情報を送信する場合の経路］
次に、アダプタ装置４０が、アクセス制御装置２０に送信する第４通信情報を送信する場合における、情報の経路を説明する。
制御手段４５は、上記に説明したように、現在やり取りしている通信情報を全て把握している。したがって、制御手段４５が任意のタイミングで第４通信情報を作成することができる。そして、制御手段４５は、作成した第４通信情報を、コントロールバスＣＢ２及びデータバスＤＢ６を用いてＩＳＤＮ送受信部４２に出力する。ＩＳＤＮ送受信部４２に入力された第４通信情報は、データバスＤＢ４及び端子４０ｂを経由してＩＳＤＮ回線１０ｂに出力される。
【００３９】
本発明のアダプタ装置４０及び通信システムは、本実施の形態で説明した構成、動作等に限定されず、本発明の要旨を変更しない範囲で種々の変更、追加、削除が可能である。
また、アクセス回線１２は、ＩＰ電話を利用できれば、実施の形態の例で説明した通信回線以外の回線にも適用することができる。
本実施の形態の説明では、ＩＳＤＮ信号用ケーブル１０ａ、ＩＳＤＮ回線１０ｂ、アクセス回線１２を有線形式の回線の例で説明したが、無線形式の回線にも適用することができる。
本実施の形態の説明に用いた数値等は一例であり、この数値等に限定されるものではない。
【００４０】
【発明の効果】
以上説明したように、請求項１または２または５のいずれかに記載のアダプタ装置、あるいは請求項３または４または６のいずれかに記載の通信システムを用いれば、より少ない費用と工事期間で、端末側（利用者宅側）既存システムを、ＩＳＤＮとインターネットとを選択して通話を行うことができる併用システムに改造し得るアダプタ装置及び通信システムを提供することができる。
【図面の簡単な説明】
【図１】本発明のアダプタ装置４０を用いた通信システムの一実施の形態の概略接続図である。
【図２】通信機器２から通信情報を送信する場合におけるアダプタ装置４０の動作、及び通信機器２が通信情報を受信する場合におけるアダプタ装置４０の動作を説明する図である。
【図３】アダプタ装置４０の内部構成、及び各構成要素の動作を説明する図である。
【図４】従来の通信システムの概略接続図である。
【符号の説明】
１      事業所
２、２ａ〜２ｎ    通信機器
６      ＰＢＸ
１０、１０ｂ    ＩＳＤＮ回線
１０ａ  ＩＳＤＮ信号用ケーブル
１２    アクセス回線
２０    アクセス制御装置
２２    アクセスポイント
３０    ＩＳＤＮ
３２    インターネット
３３    サーバ
４０    アダプタ装置
４０ａ〜４０ｃ    端子
４１、４２    ＩＳＤＮ送受信部
４３    ＢチャネルＳＷ部
４４    データ圧縮伸張手段
４５    制御手段
４６    ＬＡＮ送受信部
４７    モデム部
ＤＢ１〜ＤＢ１１    データバス
ＣＢ１〜ＣＢ４      コントロールバス
【図１】
2004349957.tif 000003
【図２】
2004349957.tif 000004
【図３】
2004349957.tif 000005
【図４】
2004349957.tif 000006